(57)【特許請求の範囲】
【請求項１】
育苗容器Ａを移送する移送台１の上方に、該移送台１に回動自在に設けた左右一対の取付アーム７の先端に軸装した回転ブラシ３を設け、該回転ブラシ３のブラシ回転軸６の両端に一対の牽引ロッド１８を取付け、各牽引ロッド１８はダイヤル２２を有する調節螺子軸１９に上下移動自在に取付け、左右の調節螺子軸１９は連結軸２１により連結し、前記移送台１には左右一対のフレーム側板１６を設け、該フレーム側板１６の上部に前記連結軸２１を上方から係合させて支持する高さの相違する切替用係合段部２６を前後方向に複数設けた回転ブラシの調節装置。
【請求項２】
請求項１において、前記ブラシ回転軸６は取付アーム７を移送台１に取付ける回転軸８を中心とする円弧移動するように構成し、前記切替用係合段部２６のうち、前記ブラシ回転軸６と連結軸２１とが鉛直上に位置する中央切替用係合段部２６ａを基準段部とし、前記中央切替用係合段部２６ａの前後側の何れか一方に設けた切替用係合段部２６を、前記中央切替用係合段部２６ａよりも低くい第一切替用係合段部２６ｂとし、前記中央切替用係合段部２６ａの前後側の何れか他方に設けた切替用係合段部２６を、前記第一切替用係合段部２６ｂよりも低くい第二切替用係合段部２６ｃとするように、前記中央切替用係合段部２６ａの前後側に位置する切替用係合段部２６は夫々前後に順に低く複数配置構成した回転ブラシの調節装置。
【発明の詳細な説明】
【０００１】
【産業上の利用分野】
本発明は、回転ブラシの調節装置に係るものである。
【０００２】
【従来技術】
従来公知の実公平７−４１２９７号公報には、回転ブラシのブラシ回転軸の両端に一対の牽引ロッドを取付け、各牽引ロッドは連結軸により連結し、連結軸は切替用係合段部に係合させ、切替用係合段部を有する上下移動板は前記移送台に左右一対設けたフレーム側板の窓孔の内側に設け、上下移動板はフレーム側板に設けた調節螺子軸に上下自在に取付けた構成について記載されている。
【０００３】
【発明が解決しようとする課題】
前記公知例は、窓孔の内側に切替用係合段部を有する上下移動板を設け、該上下移動板を調節螺子軸により高さ調節自在に吊設し、前記窓孔に連結軸を挿通させて窓孔の内側の切替用係合段部に係合させる構成であり、窓孔という制約のため、切替用係合段部を設けるスペースが狭いという課題がある。
即ち、公知例は、切替用係合段部を有する上下移動板を上下させる構成のため、形成するためのスペースが狭いのである。
本発明は、微調節機構を工夫して、窓孔の制約を除去して、変更範囲を広くしたものである。
【０００４】
【発明の目的】
掻き取り深さの変更範囲の拡大、変更精度の向上。
【０００５】
【課題を解決するための手段】
本発明は、育苗容器Ａを移送する移送台１の上方に、該移送台１に回動自在に設けた左右一対の取付アーム７の先端に軸装した回転ブラシ３を設け、該回転ブラシ３のブラシ回転軸６の両端に一対の牽引ロッド１８を取付け、各牽引ロッド１８はダイヤル２２を有する調節螺子軸１９に上下移動自在に取付け、左右の調節螺子軸１９は連結軸２１により連結し、前記移送台１には左右一対のフレーム側板１６を設け、該フレーム側板１６の上部に前記連結軸２１を上方から係合させて支持する高さの相違する切替用係合段部２６を前後方向に複数設けた回転ブラシの調節装置としたものである。
本発明は、前記ブラシ回転軸６は取付アーム７を移送台１に取付ける回転軸８を中心とする円弧移動するように構成し、前記切替用係合段部２６のうち、前記ブラシ回転軸６と連結軸２１とが鉛直上に位置する中央切替用係合段部２６ａを基準段部とし、前記中央切替用係合段部２６ａの前後側の何れか一方に設けた切替用係合段部２６を、前記中央切替用係合段部２６ａよりも低くい第一切替用係合段部２６ｂとし、前記中央切替用係合段部２６ａの前後側の何れか他方に設けた切替用係合段部２６を、前記第一切替用係合段部２６ｂよりも低くい第二切替用係合段部２６ｃとするように、前記中央切替用係合段部２６ａの前後側に位置する切替用係合段部２６は夫々前後に順に低く複数配置構成した回転ブラシの調節装置としたものである。
【０００６】
【実施例】
本発明の実施例を図面により説明すると、１は育苗容器Ａを移送する移送台、２は移送台１に設けた育苗容器Ａを移送する移送ロール、３は前記移送台１の上方に設けた回転ブラシであり、回転ブラシ３は前記育苗容器Ａに余分に供給した床土４を所定量掻取りながら均平するものである。
前記回転ブラシ３は、そのブラシ回転軸６の両端を左右一対の取付アーム７に軸装し、取付アーム７の基部を前記移送ロール２の回転軸８に回動自在に取付けると共に、移送ロール２の回転をチエン（図示省略）と歯車９によりブラシ回転軸６に伝達して駆動回転させる。
【０００７】
しかして、移送台１には前記回転ブラシ３の高さ調節装置１５を設ける。高さ調節装置１５は前記移送台１に左右一対のフレーム側板１６を設け、フレーム側板１６に前記ブラシ回転軸６を挿通する挿通孔１７を形成し、挿通孔１７は前記回転軸８を中心とする円弧形状に形成し、高さの相違する育苗容器Ａに合わせて回転ブラシ３が上下するのを許容する。
フレーム側板１６より側方に突出するブラシ回転軸６の両端には牽引ロッド１８の下部を夫々取付け、牽引ロッド１８の上部には調節螺子軸１９の下部を螺合させる。２０は牽引ロッド１８に溶接固定した螺合用ナットであり、調節螺子軸１９を回転させると、牽引ロッド１８は調節螺子軸１９に対して上下動する。
【０００８】
調節螺子軸１９の上部は左右方向の連結軸２１に回転自在に取付ける。２２は調節螺子軸１９の上端に設けたダイヤル、２３は連結軸２１の下方の調節螺子軸１９に設けた係合用ナットであり、係合用ナット２３によりダイヤル２２を持ち上げると、連結軸２１が上動する。また、前記螺合用ナット２０の下方の調節螺子軸１９にはロック用ナット２４を螺合させている。
前記牽引ロッド１８には前記移送台１等の固定部との間にバネ２５を設け、常時牽引ロッド１８を下方に牽引するように付勢する。
【０００９】
しかして、前記フレーム側板１６の上縁には、前記連結軸２１を係合させる切替用係合段部２６を複数円弧上に配置形成し、複数ある切替用係合段部２６のうち何れかに選択係合させる。
この場合、前記切替用係合段部２６のうち、前記ブラシ回転軸６の鉛直上に連結軸２１が位置する中央切替用係合段部２６ａを基準段部とし、この状態で左右の調節螺子軸１９を回転させて回転ブラシ３の下端を育苗容器Ａの前壁２７の上面に接触させ、掻取り量を「零」にし、中央切替用係合段部２６ａの前後側に、順に低い切替用係合段部２６を形成し、この切替用係合段部２６に連結軸２１を係合させて回転ブラシ３の下端を育苗容器Ａの前壁前壁２７上面より下方に位置させて、床土を所定量掻き取る。
【００１０】
また、実施例の切替用係合段部２６は、中央切替用係合段部２６ａを基準に前後側の交互に低くくなるように形成すると、掻取り量の設定の精度を向上させ、好適である。
即ち、ブラシ回転軸６は、回転軸８を中心とする円弧線上であって、連結軸２１を中心とする円弧線上を移動するから、高さの相違する育苗容器Ａに合わせて、最初のブラシ回転軸６の位置を変化させると、各切替用係合段部２６に係合させたとき、中央切替用係合段部２６ａに対する下降量が一定とならないことになり、このずれを、中央切替用係合段部２６ａを基準に各切替用係合段部２６を前後側の交互に低くくなるように形成することにより、掻取り量の設定の精度を向上させるのである。２６ｂは第一切替用係合段部、２６ｃは第二切替用係合段部、２６ｄは第三切替用係合段部、２６ｅは第四切替用係合段部であり、順に掻取り量が多くなるように、回転ブラシ３の高さを低くする。
【００１１】
しかして、前記回転ブラシ３の後側にはブラシカバー３０を設け、ブラシカバー３０は前記連結軸２１より所定間隔を置いて下方に位置させて、作業者の手を挿入して連結軸２１を持ち上げられるようにしている。
なお、以上の構成は任意であり、高さ調節装置１５は、ダイヤル２２または連結軸２１を持ち上げて連結軸２１を切替用係合段部２６に選択係合させて、掻取り量を変更し、連結軸２１に対して牽引ロッド１８を上下させて掻取り量を微調節できればよい。
【００１２】
【作用】
次に作用を述べる。
育苗容器Ａを移送する移送台１の上方に回転ブラシ３を設け、回転ブラシ３は左右一対の取付アーム７の先端に軸装し、取付アーム７は移送台１に回動自在に取付け、回転ブラシ３には、ブラシ回転軸６に取付けた牽引ロッド１８と、牽引ロッド１８を上下させるダイヤル２２を有する調節螺子軸１９と、左右の調節螺子軸１９を連結した連結軸２１と、移送台１に設けたフレーム側板１６に形成した連結軸２１を係合支持する切替用係合段部２６とからなる高さ調節装置１５を設けているから、何れかの切替用係合段部２６に連結軸２１を係合させた状態で、左右の調節螺子軸１９を回転させて回転ブラシ３の下端を育苗容器Ａの前壁２７の上面に接触させ、掻取り量を「零」にし、次ぎに、ダイヤル２２または連結軸２１を持って、上方に持ち上げて前記切替用係合段部２６より低い他の切替用係合段部２６に連結軸２１を係合させると、最初の切替用係合段部２６と次ぎの切替用係合段部２６の高さ分だけ、牽引ロッド１８は下降し、これによりブラシ回転軸６も下降し、回転ブラシ３は所定高さに設定される。
【００１３】
この状態で、床土を供給した育苗容器Ａを移送台１に供給すると、移送ロール２により移送されて、回転ブラシ３の下方を通過するとき、所定量掻き取られる。
しかして、掻取り量を変更するときは、連結軸２１を複数ある切替用係合段部２６のうち他の切替用係合段部２６に係合させると、これにより連結軸２１は調節螺子軸１９を上下させ、調節螺子軸１９は牽引ロッド１８を上下させ、牽引ロッド１８はブラシ回転軸６を上下させて、回転ブラシ３の高さを変更し、掻取り量を変更する。
【００１４】
また、高さの相違する育苗容器Ａを使用するときは、前記したように、何れかの切替用係合段部２６に連結軸２１を係合させた状態で、左右の調節螺子軸１９を回転させて回転ブラシ３の下端を育苗容器Ａの前壁２７の上面に接触させ、掻取り量を「零」にし、次ぎに、ダイヤル２２または連結軸２１を持って、上方に持ち上げて前記切替用係合段部２６より低い他の切替用係合段部２６に連結軸２１を係合させて、回転ブラシ３を所定高さに設定する。
前記の場合、切替用係合段部２６は、移送台１に設けた左右一対のフレーム側板１６の上縁に円弧上に複数配置しているから、切替用係合段部２６を形成するスペースが多くなって、それだけ、変更範囲を広くできる。
【００１５】
即ち、固定側のフレーム側板１６に、切替用係合段部２６を設けているので、スペースを広くできる。
しかして、ブラシ回転軸６は、回転軸８を中心とする円弧線上であって、連結軸２１を中心とする円弧線上を移動するから、高さの相違する育苗容器Ａに合わせると、最初のブラシ回転軸６の位置が上下に変化し、各切替用係合段部２６の段差とブラシ回転軸６の下降量が比例しないことになる。
そのため、前記切替用係合段部２６のうち、前記ブラシ回転軸６と連結軸２１とが鉛直上に位置する中央切替用係合段部２６ａを基準段部とし、この状態で左右の調節螺子軸１９を回転させて回転ブラシ３の下端を育苗容器Ａの前壁前壁２７の上面に接触させ、掻取り量を「零」になるように調節し、この中央切替用係合段部２６ａの前後側に、中央切替用係合段部２６ａより順に低い切替用係合段部２６を形成する。
【００１６】
したがって、「零設定」の中央切替用係合段部２６ａより低い切替用係合段部２６に係合させることにより、回転ブラシ３の下端を育苗容器Ａの前壁２７上面より下方に位置させて、床土を所定量掻き取る。
この場合、実施例の切替用係合段部２６は、中央切替用係合段部２６ａを基準に前後側の交互に低くくなるように形成しているから、回転軸８と連結軸２１の２点を中心とする円弧移動するブラシ回転軸６の移動量の変化を最小にして、掻取り量の設定の精度を向上させる。即ち、一例として、７mm、１０mm、１２mm、１５mmの４段階の切替用係合段部２６を形成する場合、側面視、後側より１５mm（第四切替用係合段部２６ｂ）、１２mm（第三切替用係合段部２６ｂ）、０mm（中央切替用係合段部２６ａ）、７mm（第一切替用係合段部２６ｂ）、１０mm（第二切替用係合段部２６ｂ）の順に形成しているから、各切替用係合段部２６の間のずれも小さくなる。
【００１７】
なお、側面視、１５mm（第四切替用係合段部２６ｂ）、１０mm（第二切替用係合段部２６ｂ）、０mm（中央切替用係合段部２６ａ）、７mm（第一切替用係合段部２６ｂ）、１２mm（第三切替用係合段部２６ｂ）の順に形成してもよい。
しかして、牽引ロッド１８はバネ２５により常時下方に牽引されているから、調節螺子軸１９を回転させて牽引ロッド１８を下げると、牽引ロッド１８はバネ２５の弾力により下降し、反対に、調節螺子軸１９を逆回転させると、牽引ロッド１８をバネ２５の弾力に抗して上動させる。
この場合、牽引ロッド１８の上部に調節螺子軸１９の下部を螺合させているから、ダイヤル２２を回転させると、調節螺子軸１９に対して牽引ロッド１８は上下する。
【００１８】
また、連結軸２１の下方の調節螺子軸１９には係合用ナット２３を設けているから、ダイヤル２２を持ち上げると、係合用ナット２３により連結軸２１を上動させ、連結軸２１だけでなく、左右のダイヤル２２によっても連結軸２１を持ち上げて他の切替用係合段部２６に係合させて、回転ブラシ３の掻取り量を変更できる。
また、牽引ロッド１８に固定の螺合用ナット２０の下方の調節螺子軸１９にはロック用ナット２４を螺合させているから、一旦調節すると、狂いが生じない。
【００１９】
【効果】
本発明は、育苗容器Ａを移送する移送台１の上方に、該移送台１に回動自在に設けた左右一対の取付アーム７の先端に軸装した回転ブラシ３を設け、該回転ブラシ３のブラシ回転軸６の両端に一対の牽引ロッド１８を取付け、各牽引ロッド１８はダイヤル２２を有する調節螺子軸１９に上下移動自在に取付け、左右の調節螺子軸１９は連結軸２１により連結し、前記移送台１には左右一対のフレーム側板１６を設け、該フレーム側板１６の上部に前記連結軸２１を上方から係合させて支持する高さの相違する切替用係合段部２６を前後方向に複数設けた回転ブラシの調節装置としたものであるから、切替用係合段部２６を形成するスペースが多くなって、変更範囲を広くできる。
本発明は、前記ブラシ回転軸６は取付アーム７を移送台１に取付ける回転軸８を中心とする円弧移動するように構成し、前記切替用係合段部２６のうち、前記ブラシ回転軸６と連結軸２１とが鉛直上に位置する中央切替用係合段部２６ａを基準段部とし、前記中央切替用係合段部２６ａの前後側の何れか一方に設けた切替用係合段部２６を、前記中央切替用係合段部２６ａよりも低くい第一切替用係合段部２６ｂとし、前記中央切替用係合段部２６ａの前後側の何れか他方に設けた切替用係合段部２６を、前記第一切替用係合段部２６ｂよりも低くい第二切替用係合段部２６ｃとするように、前記中央切替用係合段部２６ａの前後側に位置する切替用係合段部２６は夫々前後に順に低く複数配置構成した回転ブラシの調節装置としたものであるから、変更精度を向上させる。
【図面の簡単な説明】
【図１】  側面図。
【図２】  正面図。
【図３】  フレーム側板の側面図。
【図４】  高さ調節装置の一部正面図。
【図５】  調節状態断面図。
【図６】  高さ調節装置の一部斜視図。
【図７】  公知例図。
【符号の説明】
１…移送台、２…移送ロール、３…回転ブラシ、４…床土、６…ブラシ回転軸、７…取付アーム、８…回転軸、９…歯車、１５…高さ調節装置、１６…フレーム側板、１７…挿通孔、１８…牽引ロッド、１９…調節螺子軸、２０…螺合用ナット、２１…連結軸、２２…ダイヤル、２３…係合用ナット、２４…ロック用ナット、２５…バネ、２６…切替用係合段部、２７…前壁、３０…ブラシカバー。
【図１】
0004600899.tif 000002
【図２】
0004600899.tif 000003
【図３】
0004600899.tif 000004
【図４】
0004600899.tif 000005
【図５】
0004600899.tif 000006
【図６】
0004600899.tif 000007
【図７】
0004600899.tif 000008